(57)【要約】【課題】無線カップリングのための装置および方法。【解決手段】オープン・エンドとクローズド・エンドを有する第１のスロットを規定する第１の導電層でああって、該第１のスロットは、誘導カプラを受けるように構成されている、第１の導電層と、動作可能な周波数帯で共振するように前記第１の導電層を調整するように構成された容量部材と、を備える装置。【選択図】図５
2016509445.tif 000002
【特許請求の範囲】
【請求項１】
オープン・エンドおよびクローズド・エンドを有する第１のスロットを規定する第１の導電層であって、該第１のスロットは、誘導カプラを受けるように構成されている、第１の導電層と、
動作可能な周波数帯で共振するように前記第１の導電層を調整するように構成された容量部材と、を備える装置。
【請求項２】
前記容量部材は、前記第１の導電層に接続し、前記第１のスロットに配置されるキャパシタ構成を含み、前記キャパシタ構成は、少なくとも１つのキャパシタを含む、請求項１に記載の装置。
【請求項３】
前記キャパシタ構成は、前記キャパシタが、前記第１の導電層に電気的に接続している第１の電気的構成と、前記キャパシタが、前記第１の導電層から電気的に接続している第２の電気的構成との間でスイッチすることができる、請求項２に記載の装置。
【請求項４】
前記キャパシタ構成は、前記第１のスロットの中において配置された更なるキャパシタを備え、前記キャパシタ構成が前記第２の電気的構成にあるときに、前記更なるキャパシタは、前記第１の導電層に電気的に接続している、請求項３に記載の装置。
【請求項５】
前記キャパシタは、バラクタである、請求項２に記載の装置。
【請求項６】
前記容量部材は、前記第１の導電層に対して異なる平面に配置された導電部材を含み、前記第１のスロットに隣接して前記第１の導電層から伸びる、請求項１ないし５のいずれか１項に記載の装置。
【請求項７】
前記第１のスロットの中に配置され、前記第１の導電層から電気的に絶縁される誘導カプラを更に備える請求項１ないし６のいずれか１項に記載の装置。
【請求項８】
前記誘導カプラは、前記第１の導電層の前記動作可能な周波数帯と異なる第１の動作可能な周波数帯において共振するように構成される、請求項７に記載の装置。
【請求項９】
オープン・エンドとクローズド・エンドを有し、その中に前記誘導カプラを受けるように構成される第２のスロットを規定する第２の導電層であって、該第２の導電層は前記第１の導電層に電気的に結合されている、第２の導電層を更に備える請求項１ないし８のいずれか１項に記載の装置。
【請求項１０】
前記第２の導電層は、少なくとも部分的に、前記第１の導電層にオーバーレイする、請求項９に記載の装置。
【請求項１１】
前記第１のスロットおよび前記第２のスロットは、それらの長さの少なくとも部分に対して、異なる方向に伸びる、請求項９または１０に記載の装置。
【請求項１２】
前記第１のスロットおよび前記第２のスロットは、それらの長さの少なくとも部分に対して、反対方向に伸び、前記第１の導電層および前記第２の導電層は、コイル形状を形成する、請求項１１に記載の装置。
【請求項１３】
前記第１の導電層および前記第２の導電層は、導電性コネクタを介して電気的に結合され、該導電性コネクタは、前記第１の導電層のエッジ部分を前記第２の導電層のエッジ部分に結合させている、請求項９ないし１２のいずれか１項に記載の装置。
【請求項１４】
前記容量部材は、前記第２の導電層を含む、請求項９ないし１３のいずれか１項に記載の装置。
【請求項１５】
前記第１および第２の導電層は、プリント基板の層である、請求項９ないし１４のいずれか１項に記載の装置。
【請求項１６】
前記第１の導電層および／または前記第２の導電層は、ポータブル電子デバイスのカバーの少なくとも部分を形成する、請求項９ないし１４のいずれか１項に記載の装置。
【請求項１７】
請求項１ないし１６のいずれか１項に記載の装置を備えるポータブル電子デバイス。
【請求項１８】
オープン・エンドとクローズド・エンドを有する第１のスロットを規定する第１の導電層を提供するステップであって、該第１のスロットは、誘導カプラを受けるように構成されている、ステップと、
前記第１の導電層を動作可能な周波数帯で共振するように調整するように構成される容量部材を提供するステップと、を含む方法。
【請求項１９】
前記容量部材は、前記第１の導電層に接続され、前記第１のスロットに配置されるキャパシタ構成を含み、前記キャパシタ構成は、少なくとも１つのキャパシタを含む、請求項１８に記載の方法。
【請求項２０】
前記キャパシタ構成は、前記キャパシタが、前記第１の導電層に電気的に接続している第１の電気的構成と、前記キャパシタが、前記第１の導電層から電気的に接続している第２の電気的構成との間でスイッチすることができる、請求項１９に記載の方法。
【請求項２１】
前記キャパシタ構成は、前記第１のスロットの中において配置された更なるキャパシタを備え、前記キャパシタ構成が前記第２の電気的構成にあるときに、前記更なるキャパシタは、前記第１の導電層に電気的に接続している、請求項２０に記載の方法。
【請求項２２】
前記キャパシタは、バラクタである、請求項１９に記載の方法。
【請求項２３】
前記容量部材は、前記第１の導電層に対して異なる平面に配置される導電部材を含み、前記第１のスロットに隣接して前記第１の導電層から伸びる、請求項１８ないし２２のいずれか１項に記載の方法。
【請求項２４】
誘導カプラを前記第１のスロットの中に配置するステップであって、該誘導カプラは前記第１の導電層から電気的に絶縁されている、ステップを更に含む請求項１８ないし２３のいずれか１項に記載の方法。
【請求項２５】
前記誘導カプラは、前記第１の導電層の前記動作可能な周波数帯と異なる動作可能な周波数帯で共振するように構成される、請求項２４に記載の方法。
【請求項２６】
オープン・エンドとクローズド・エンドを有し、その中に前記誘導カプラを受けるように構成される第２のスロットを規定する第２の導電層を提供するステップであって、該第２の導電層は前記第１の導電層に電気的に結合されている、ステップを更に含む請求項１８ないし２５のいずれか１項に記載の方法。
【請求項２７】
前記第２の導電層は、少なくとも部分的に、前記第１の導電層にオーバーレイする、請求項２６に記載の方法。
【請求項２８】
前記第１のスロットおよび前記第２のスロットは、それらの長さの少なくとも部分に対して、異なる方向に伸びる、請求項２６または２７に記載の方法。
【請求項２９】
前記第１のスロットおよび前記第２のスロットは、それらの長さの少なくとも部分に対して、反対方向に伸び、前記第１の導電層と前記第２の導電層は、コイル形状を形成する、請求項２８に記載の方法。
【請求項３０】
前記第１の導電層および前記第２の導電層は、導電性コネクタによって電気的に結合され、該導電性コネクタは、前記第１の導電層のエッジ部分を前記第２の導電層のエッジ部分に結合させている、請求項２６ないし２９のいずれか１項に記載の方法。
【請求項３１】
前記容量部材は、前記第２の導電層を含む、請求項２６ないし３０のいずれか１項に記載の方法。
【請求項３２】
前記第１および第２の導電層は、プリント基板の層である、請求項２６ないし３１のいずれか１項に記載の方法。
【請求項３３】
前記第１の導電層および／または前記第２の導電層は、ポータブル電子デバイスのカバーの少なくとも部分を形成する、請求項２６ないし３１のいずれか１項に記載の方法。
【発明の詳細な説明】
【技術分野】
【０００１】
本願発明の実施形態は、無線カップリングのための装置および方法に関し、特に、ポータブル電子デバイスにおける無線カップリングに関連する。
【背景技術】
【０００２】
ポータブル電子デバイスなどの装置は、通常、この装置を別のデバイスとワイヤレスで結合することを可能にするように１つ以上のアンテナを含む。例えば、この装置は、ラジオ周波数識別（ＲＦＩＤ）または近距離無線通信（ＮＦＣ）アンテナなど近距離場アンテナを含むことができる。アンテナは、装置の中でスペースを必要とし、その装置のボリュームは所望のものよりも大きくなり得る。したがって、代替の装置を提供することが望ましい。
【発明の概要】
【０００３】
種々の、しかし、必ずしもすべてではないが、本願発明の実施形態にしたがって、オープン・エンドおよびクローズド・エンドを有する第１のスロットを規定する第１の導電層であって、該第１のスロットは、誘導カプラを受けるように構成されている、第１の導電層と、動作可能な周波数帯で共振するように第１の導電層を調整するように構成された容量部材と、を備える装置が提供される。
【０００４】
前記容量部材は、前記第１の導電層に接続され、そして、前記第１のスロットに配置されるキャパシタ構成を含むことができ、前記キャパシタ構成は、少なくとも１つのキャパシタを含む。前記キャパシタ構成は、前記キャパシタが前記第１の導電層に電気的に接続している第１の電気的構成と、前記キャパシタが前記第１の導電層から電気的に接続している第２の電気的構成との間でスイッチすることができる。
【０００５】
前記キャパシタ構成は、前記第１のスロットの中において配置された更なるキャパシタを備えることができる。ここで、前記キャパシタ構成が前記第２の電気的構成にあるときに、前記更なるキャパシタは、前記第１の導電層に電気的に接続している。
【０００６】
このコンデンサは、バラクタ（可変容量ダイオード）であることができる。
【０００７】
前記容量部材は、前記第１の導電層に対して異なる平面に配置され、そして、前記第１のスロットに隣接して前記第１の導電層から伸びる導電部材を含むことができる。
【０００８】
この装置は、更に、前記第１のスロットの中に配置され、前記第１の導電層から電気的に絶縁される誘導カプラを備えることができる。
【０００９】
前記誘導カプラは、前記第１の導電層の動作可能な周波数帯と異なる第１の動作可能な周波数帯において共振するように構成することができる。
【００１０】
この装置は、更に、オープン・エンドとクローズド・エンドを有し、その中に誘導カプラを受けるように構成される第２のスロットを規定する第２の導電層であって、該第２の導電層は前記第１の導電層に電気的に結合されている、第２の導電層を備えることができる。
【００１１】
前記第２の導電層は、少なくとも部分的に、第１の導電層にオーバーレイすることができる。
【００１２】
第１のスロットおよび第２のスロットは、それらの長さの少なくとも部分に対して、異なる方向に伸びることができる。
【００１３】
前記第１のスロットおよび前記第２のスロットは、それらの長さの少なくとも部分に対して、反対方向に伸びることができる。そして、第１の導電層と第２の導電層とは、コイル形状を形成することができる。
【００１４】
前記第１の導電層および前記第２の導電層は、導電性コネクタを介して電気的に結合されることができ、該導電性のコネクタは、前記第１の導電層のエッジ部分を前記第２の導電層のエッジ部分に結合させている、ことができる。
【００１５】
前記容量部材は、前記第２の導電層を含むことができる。
【００１６】
前記第１および第２の導電層は、プリント基板の層であり得る。
【００１７】
前記第１の導電層および／または前記第２の導電層は、ポータブル電子デバイスのカバーの少なくとも部分を形成することができる。
【００１８】
本願発明の種々の実施形態にしたがい、しかし必ずしもすべてではないが、上に記載された装置を備えるポータブル電子デバイスが提供される。
【００１９】
本願発明の種々の実施形態にしたがい、しかし必ずしもすべてではないが、オープン・エンドとクローズド・エンドを有する第１のスロットを規定する第１の導電層を提供するステップであって、該第１のスロットは、誘導カプラを受けるように構成されている、ステップと、第１の導電層を動作可能な周波数帯で共振するように調整するように構成される容量部材を提供するステップと、を含む方法が提供される。
【００２０】
前記容量部材は、前記第１の導電層に接続され、前記第１のスロットに配置されるキャパシタ構成を含むことができる。前記キャパシタ構成は、少なくとも１つのキャパシタを含む。前記キャパシタ構成は、前記キャパシタが、前記第１の導電層に電気的に接続している第１の電気的構成と、前記キャパシタが、前記第１の導電層から電気的に接続している第２の電気的構成との間でスイッチすることができる。
【００２１】
前記キャパシタ構成は、前記第１のスロットの中において配置された更なるキャパシタを備えることができる。ここで、前記キャパシタ構成が前記第２の電気的構成にあるときに、前記更なるキャパシタは、前記第１の導電層に電気的に接続している。
【００２２】
このコンデンサは、バラクタ（可変容量ダイオード）であることができる。
【００２３】
前記容量部材は、前記第１の導電層に対して異なる平面に配置され、前記第１のスロットに隣接して前記第１の導電層から伸びる、導電部材を含むことができる。
【００２４】
この方法は、更に、誘導カプラを前記第１のスロットの中に配置するステップであって、該誘導カプラは前記第１の導電層から電気的に絶縁されている、ステップを備えることができる。
【００２５】
前記誘導カプラは、前記第１の導電層の動作可能な周波数帯と異なる動作可能な周波数帯で共振するように構成することができる。
【００２６】
この方法は、更に、オープン・エンドとクローズド・エンドを有し、その中に誘導カプラを受けるように構成される第２のスロットを規定する第２の導電層を提供するステップであって、該第２の導電層は前記第１の導電層に電気的に結合されている、ステップを備えることができる。
【００２７】
前記第２の導電層は、少なくとも部分的に、前記第１の導電層にオーバーレイすることができる。こ第１のスロットは、そして、第２のスロットそれらの長さの少なくとも部分に対して、異なる方向に伸びることができる。
【００２８】
こ第１のスロットは、そして、第２のスロットそれらの長さの少なくとも部分に対して、反対方向に伸びることができる。前記第１の導電層と前記第２の導電層は、コイル形状を形成する。
【００２９】
前記第１の導電層および前記第２の導電層は、導電性コネクタを介して電気的に結合されることができ、該導電性のコネクタは、前記第１の導電層のエッジ部分を前記第２の導電層のエッジ部分に結合させていることができる。
【００３０】
前記容量部材は、前記第２の導電層を含むことができる。
【００３１】
前記第１および第２の導電層は、プリント基板の層であり得る。
【００３２】
前記第１の導電層および／または前記第２の導電層は、ポータブル電子デバイスのカバーの少なくとも部分を形成することができる。
【図面の簡単な説明】
【００３３】
説明を理解することに役立つ種々の例のより良い理解のために、次に、添付の図面への参照が、例示のみのためになされる。ここで、
【図１】図１は、種々の実施例にしたがう装置を含むポータブル電子デバイスの概略図を示す。
【図２】図２は、実施例にしたがう装置、および、誘導受信コイルの概略図を示す。
【図３】図３は、実施例にしたがう第１の導電層の平面図を示す。
【図４】図４は、実施例にしたがう第２の導電層の平面図を示す。
【図５】図５は、図３に示される第１の導電層、および、図４に示される第２の導電層を含む別の装置の斜視図を示す。
【図６】図６は、誘導カプラを更に含む、図５に図示する装置の斜視図を示す。
【図７Ａ】図７Ａは、第１の導電層の上面における電流の平面図を示す。
【図７Ｂ】図７Ｂは、第１の導電層の底面における電流の平面図を示す。
【図８Ａ】図８Ａは、第２の導電層の上面における電流の平面図を示す。
【図８Ｂ】図８Ｂは、第２の導電層の底面における電流の平面図を示す。
【図９】図９は、実施例にしたがう別の装置の斜視図を示す。
【図１０】図１０は、実施例にしたがう、図９に図示される装置に対するキャパシタ構成を図示する。
【図１１】図１１は、別の実施例にしたがう、図９に図示される装置に対するキャパシタ構成を図示する。
【図１２】図１２は、更なる実施例にしたがう、図９に図示される装置に対するキャパシタ構成を図示する。
【図１３】図１３は、実施例にしたがう、更なる装置の斜視図を示す。
【図１４】図１４は、実施例にしたがう、別の装置の平面図を示す。
【図１５】図１５は、実施例にしたがう、装置を製造する方法のフロー・チャートを図示する。
【発明を実施するための形態】
【００３４】
本願明細書を通して、「アンテナ」という用語が、使用されるが、しかし、この用語は、また、「カプラ」、「電磁カプラ」、「誘導カプラ」、または、「共振変圧器コイル」として参照される。更にまた、種々の実施例は、「遠距離フィールド」動作よりむしろ「近距離フィールド・カップリング」に関するものである。
【００３５】
以下の記載において、「接続」および「カップル」という言葉とそれらの派生語は、動作的に接続あるいは結合していることを意味する。任意数の介在コンポーネントあるいは組合せが、存在することができる（介在コンポーネントが無い場合も含む）ことが理解されるべきである。加えて、この接続またはカップリングは、物理的ガルバニック接続および／または電磁接続であることができることが理解されるべきである。
【００３６】
インダクタンスは、導体の起電力（電圧）が電流の変化によってつくられる結果としての特性である。この導体の特性は、自己インダクタンスとして既知であり、隣接導体は、相互インダクタンスを備える。導体のなかの誘導電流は、その誘導電流をつくった変化に対抗するようなふうに振る舞う。
【００３７】
以下の段落に記載される種々の実施例において、装置は、上の段落で記載したように、その中に誘導カプラを有する隣接導体を含むことができる。隣接導体のインダクタンスは、容量性ローディングを有する共振回路を備える。適切な装置共振周波数、相互インダクタンスの強化、および、より大きな受信コイルへの電磁カプリングを提供することができる。図１は、コントローラ１２、回路１４、ラジオ周波数回路１６、装置１８および、アース部材２０を含む電子デバイス１０を図示する。電子デバイス１０は、ハンド・ポータブル電子デバイス（例えば、携帯電話、タブレット・コンピュータ、ラップトップ・コンピュータ、パーソナル携帯情報機器または、ハンド・ヘルド・コンピュータ）、非ポータブル電子デバイス（例えば、パソコン）、携帯型マルチメディア・デバイス（例えば、音楽プレーヤー、ビデオ・プレーヤー、ゲーム機、その他）、または、そのようなデバイスのためのモジュールなどのいかなる装置でもあり得る。電子デバイス１０は、ポータブル電子デバイスであることができ、上述のハンド・ポータブル電子デバイスまたはポータブル電子デバイスのいずれかである。ここで使われるように、「モジュール」という用語は、ユニット、または、特定の部分を除外した装置、または、エンド・マニュファクチャラーまたはユーザにより追加されたコンポーネントを指す。
【００３８】
コントローラ１２のインプリメンテーションは、ハードウェア単独（例えば、回路、プロセッサ、その他）であることができ、ファームウェアだけを含むソフトウェアにおいて、ある態様を有する、または、ハードと（ファームウェアを含む）ソフトとの組合せでありえる。
【００３９】
コントローラ１２は、例えば、そのようなプロセッサ２２により実行される、コンピュータ読取り可能ストレージ・メディア２４（ディスク、メモリ、その他）の上に格納することができる汎用または特殊用途プロセッサ２２において、実行可能なコンピュータ・プログラム命令を用いてハードウェア機能を可能にする命令を使用してインプリメントすることができる。
【００４０】
プロセッサ２２は、メモリ２４から読み、そこに書くように構成される。プロセッサ２２は、また、データやコマンドが、プロセッサ２２により、それを通して出力される出力インタフェース、および、データやコマンドが、それを通してプロセッサ２２に入力される入力インタフェースを備えることができる。
【００４１】
メモリ２４は、プロセッサ２２へロードされるときに、電子デバイス１０の動作をコントロールするコンピュータ・プログラム命令（コンピュータ・プログラム・コード）を備えるコンピュータ・プログラム２６を格納する。コンピュータ・プログラム２６のそのコンピュータ・プログラム命令は、電子デバイス１０が以下に記載する方法を実行することを可能にするロジックとルーチンを提供する。プロセッサ２２は、メモリ２４を読むことによって、コンピュータ・プログラム２６をロードして、実行することができる。
【００４２】
このコンピュータ・プログラム２６は、任意の適切な配送メカニズム２８を介して、電子デバイス１０に到達することができる。この配送メカニズム２８は、例えば、固定コンピュータ読取り可能媒体、コンピュータ・プログラム・プロダクト、メモリ・デバイス、読み取り専用コンパクトディスク（ＣＤ−ＲＯＭ）またはデジタル多用途ディスク（ＤＶＤ）などの記録媒体、コンピュータ・プログラム２６を実体的に具体化する製造者の製品であることができる。配送メカニズム２８は、確実にコンピュータ・プログラム２６を移送するように構成される信号であることができる。電子デバイス１０は、コンピュータ・プログラム２６を、コンピュータ・データ信号として伝播または送信することができる。
【００４３】
メモリ２４が、単一のコンポーネントとして図示されるけれども、いくつか、または、すべてが一体化可能／取り外し可能でありえる１つ以上の別々のコンポーネントとしてインプリメントすることができ、および／または、永久的／半永久的／動的な／キャッシュ・ストレージを提供することができる。
【００４４】
「コンピュータ読取り可能ストレージ・メディア」、「コンピュータ・プログラム・プロダクト」、「実体的に具体化されたコンピュータ・プログラム」等、または、「コントローラ」、「コンピュータ」、「プロセッサ」その他への参照は、単一／マルチ・プロセッサ・アーキテクチャおよびシーケンシャル（フォン・ノイマン）／パラレル・アーキテクチャなど異なるアーキテクチャを有するコンピュータだけでなく、フィールド・プログラマブル・ゲート・アレイ（ＦＰＧＡ）、特定用途向け回路（ＡＳＩＣ）、信号処理デバイス、および、他の処理回路など専用回路にもわたることが理解されなければならない。コンピュータ・プログラム、命令、コードその他への参照は、プログラム可能プロセッサのためのソフトウェア、またはファームウェア例えば、プロセッサの命令を有するハードウェア・デバイスのプログラム可能コンテンツ、または、固定機能デバイス、ゲート・アレイまたはプログラマブル・ロジック・デバイスその他の構成セッティングなどにわたることが理解されなければならない。
【００４５】
本願明細書にて用いられているように、「回路（ｃｉｒｃｕｉｔｒｙ）」という用語は、
（ａ）ハードウェアのみの回路インプリメンテーション（例えば、アナログおよび／またはデジタル回路だけのインプリメンテーション）、および、
（ｂ）（ｉ）プロセッサの組合せにも、または、（ｉｉ）プロセッサ／ソフトウェア（デジタルシグナルプロセッサを含む）の部分、ソフトウェア、および、例えば携帯電話またはサーバなどの装置に種々の機能を実行させるために一緒に動作するメモリに適用できるように、回路とソフトウェア（および／またはファームウェア）との組合せ、および、
（ｃ）たとえソフトウェアまたはファームウェアが物理的に存在しないとしても動作のためにソフトウェアまたはファームウェアを必要とするマイクロ・プロセッサ、または、マイクロ・プロセッサの部分などの回路、のすべてを指す。
【００４６】
この「回路」の定義は、本願明細書における、すべての請求項を含むすべてのこの用語の使用に適用される。さらなる例として、本願において用いられているように、「回路（ｃｉｒｃｕｉｔｒｙ）」の用語は、また、単にプロセッサ（または、マルチプロセッサ）または部分プロセッサのおよび、その（あるいは、それらの）付随するソフトウェアやファームウェアのインプリメンテーションをカバーする。「回路」という用語は、また、たとえば、そして、特定の請求項要素に適用できるならば、ベースバンド集積回路、または、モバイル電話に対する応用プロセッサ集積回路、または、サーバにおける同様な集積回路、携帯電話ネットワーク・デバイス、または、他のネットワーク・デバイスをカバーする。
【００４７】
回路１４は、電子デバイス１０の追加的な電子部品を含む。例えば、電子デバイス１０が、ポータブル電子デバイス（例えば携帯電話）である場合、回路１４は、オーディオ入力デバイス（例えば、マイクロフォン）、音声出力装置（例えば、スピーカ）、および、ディスプレイなどの入出力デバイスを含むことができる。
【００４８】
ラジオ周波数回路１６は、コントローラ１２と装置１８との間に接続され、受信器や送信器やトランシーバを含むことができる。コントローラ１２は、ラジオ周波数回路１４へ信号を提供し、および／または、それから信号を受信するように構成される。電子デバイス１０は、任意選択的に、１つ以上のマッチング回路、フィルタ、スイッチ、または、他のラジオ周波数回路素子、および、それらの組合せを、ラジオ周波数回路１６と装置１８との間に含むことができる。
【００４９】
装置１８は、また、アンテナ構成と呼ぶことができ、電子デバイス１０を他の電子デバイスにワイヤレスで結合することを可能にするように構成される。装置１８は、種々の実施例を参照して、次の段落で詳述する。
【００５０】
ラジオ周波数回路１６および装置１８は、複数の動作可能な共振周波数帯で、また、１つ以上のプロトコルを介して動作するように構成することができる。例えば、動作可能な周波数帯およびプロトコルは、振幅変調（ＡＭ）ラジオ（０．５３５−１．７０５ＭＨｚ）、周波数変調（ＦＭ）ラジオ（７６−１０８ＭＨｚ）、デジタル・ラジオ・モンディエール（ＤＲＭ）（０．１５−３０ＭＨｚ）、デジタル・ラジオ・モンディエール＋（ＤＲＭ＋）ラジオ（４７−６８ＭＨｚ、６５．８−７４ＭＨｚ、７６−９０ＭＨｚ、８７．５−１０７．９ＭＨｚ）、ＲＦＩＤ（ｒａｄｉｏ  ｆｒｅｑｕｅｎｃｙ  ｉｄｅｎｔｉｆｉｃａｔｉｏｎ）低周波（ＲＦＩＤ  ＬＦ）（０．１２５−０．１３４ＭＨｚ）、ＲＦＩＤ（ｒａｄｉｏ  ｆｒｅｑｕｅｎｃｙ  ｉｄｅｎｔｉｆｉｃａｔｉｏｎ）高周波（ＲＦＩＤ  ＨＦ）（１３．５６−１３．５６ＭＨｚ）、Ｑｉワイヤレス・パワー・コンソーシアム標準、アライアンス・フォー・ワイヤレスパワー（Ａ４ＷＰ）（６．７８ＭＨｚ）、充電標準、および、ＨＡＣ（補聴器コイル）を含むことができる（しかし、それらに限られるものではない）。
【００５１】
アンテナがプロトコルを使用して効率的に動作することができる周波数帯は、アンテナの反射減衰量が動作可能な閾値より小さい周波数範囲である。例えば、効率的な動作は、アンテナの反射減衰量が−４ｄＢ、または、−６ｄＢより良い（つまり、より小さい）ときに、起こることができる。
【００５２】
装置１８、ラジオ周波数回路１６を提供する電子部品、回路１４およびコントローラ１２は、グランド部材２０（例えば、プリント基板）を介して相互接続することができる。グランド部材２０は、プリント基板２０の２つ以上の層を用いて装置１８の部品として使用することができる。いくつかの例において、グランド部材２０は、電子デバイス１０のいくつかの導電性部分から形成することができる。この１つの部分は、プリント基板を含むことができる。例えば、少なくともグランド部材２０の一部分は、電子デバイス１０の外部導電性ハウジングを備えることができる。外部導電性ハウジングのその少なくとも部分は、プリント基板に結合していても、結合していなくてもよい。グランド部材２０は、平面であっても、非平面であってもよい。
【００５３】
図２は、実施例にしたがう装置１８、および誘導コイル２９の概略図を示す。誘導受信コイル２９（装置１８に対して一定の比率で描かれてはいない）は、装置１８に対して別々の装置またはデバイスの中で提供され、信号を送信および／または受信するように構成することができる。結局のところ、装置１８と誘導受信コイル２９とは、互いに相対的に移動可能である。
【００５４】
装置１８は、オープン・エンドとクローズド・エンドとを有するスロット４６を定義する導電層３０を含む。スロット４６は、その中の誘導カプラを受信するように構成される（言い換えると、スロット４６は、誘導カプラを受けいれることができるように形成され、大きさにされる）。
【００５５】
この装置１８は、また、導電層３０が動作可能な周波数帯で共振することができように調整するように構成される容量部材３１を含む。容量部材３１は、導電層３０の共振を調整する任意の適切な部材であり得、例えば、１つ以上のキャパシタ、１つ以上のバラクタ、または、導電層３０と容量的に結合する更なる導電層を含むことができる。この例において、容量メンバー３１は、スロット４６の開口部に位置し、導電層３０の対向するエッジに接続している。
【００５６】
装置１８が誘導カプラをスロット４６に含むとき、この誘導カプラは、導電層３０と誘導的に結合することができ、導電層３０において、導電層３０に磁場を放射させる渦電流を生成することができる。誘導カプラと導電層３０とは、誘導受信コイル２９と誘導的に結合することができ、それによって、誘導受信コイル２９と通信することができる。
【００５７】
導電層３０が装置１８と誘導受信コイル２９との間の誘導的結合を改善することができるという点で、装置１８は、利点を提供する。スロット４６は、導電層３０において、有利なことに、渦電流を導電層３０において、相殺することを防止する。
【００５８】
いくつかの例において、この誘導カプラは、第１の動作可能な周波数帯で放射することができ、そして、導電性層３０は、第１の動作可能な周波数帯と異なる第２の動作可能な周波数帯で放射することができる。例えば、この誘導カプラは、（その周波数帯では共振しない）導電層３０に結合する通信モードにおいて、および、誘導カプラが（その周波数帯で共振する）導電層３０に結合するモードにおいて、動作することができる。
【００５９】
図３は、（図５に図示される）装置１８０の第１の導電層３０、および、デカルト座標系３２の平面図を示す。デカルト座標系３２は、互いに直交するＸ軸３４、Ｙ軸３６およびＺ軸（図３に図示せず）を含む。第１の導電層３０は、図２に図示された導電層と同様であり、その特徴は同様であり、同じ参照番号が使用される。第１の導電層３０は、グランド部材２０の層であり得る（例えば、第１の導電層３０は、プリント基板の導電層であることができる）あるいは、電子デバイス１０のハウジングの部分であり得る。
【００６０】
第１の導電層３０は、平面であり、Ｘ軸３４とＹ軸３６とによって定義される平面に平行している。第１の導電層３０は、第１のエッジ３８、第２のエッジ４０、第３のエッジ４２、および、第４のエッジ４４を有する。第１のエッジ３８は、第３のエッジ４２に平行であり、第２のエッジ４０は、第４のエッジ４４に平行である。
【００６１】
第１の導電層３０は、第１の部分４６１と第２の部分４６２とを有するスロット４６を定義する。スロット４６の第１の部分４６１は、第４のエッジ４４から、（第１のエッジ３８と第４のエッジ４４とによって定義される第１の導電層３０の角において）−Ｘ方向３４に、第２のエッジ４０と第４のエッジ４４と間の途中の端位置まで伸びる。スロット４６の第２の部分４６２は、第１の部分４６１の端位置から  ＋Ｙ方向３６に伸びる。結局のところ、スロット４６は、Ｌ形状を有する。第２の部分４６２の幅は、第１の部分４６１の幅より大きい。
【００６２】
図４は、図５に図示された装置１８０の第２の導電層４８の平面図、そして、デカルト座標系３２を示す。第２の導電層４８は、グランド部材２０の層であり得る（例えば、第２の導電層４８は、プリント基板の導電層であることができる）、または、電子デバイス１０のハウジングの部分であり得る。
【００６３】
第２の導電層４８は、平面であり、Ｘ軸３４とＹ軸３６とによって定義される平面に平行している。第２の導電層４８は、第１のエッジ５０、第２のエッジ５２、第３のエッジ５４および第４のエッジ５６を有する。
【００６４】
第１のエッジ５０は、第３のエッジ５４に平行であり、第２のエッジ５２は、第４のエッジ５６に平行である。第２の導電層４８は、第１の部分５８１と第２の部分５８２とを有するスロット５８を定義する。スロット５８の第１の部分５８１は、（第１のエッジ５０と第２のエッジ５２とによって定義される第２の導電層４８の角において）第２のエッジ５２から、＋Ｘ方向３４に、第２のエッジ５２と第４のエッジ５６と間の途中で端位置まで伸びる。スロット５８の第２の部分５８２は、第１の部分５８１の端位置から＋Ｙ方向３６に伸びる。結局のところ、スロット５８は、逆Ｌ形状を有する。第２の部分５８２の幅は、第１の部分５８１の幅より大きい。
【００６５】
グランド部材２０がプリント基板である場合には、プリント基板２０におけるグランド平面層は、第１の導電層３０または第２の導電層４８に対して、別々の部分であることができる。例えば、グランド平面層と第１の導電層３０または第２の導電層４８との間で電気的接続があるとき、第１の導電層３０または第２の導電層４８は、グランド平面層から突出するグランド平面層の部分であることができる。
【００６６】
他の例において、第１の導電層３０と第２の導電層４８とのエッジは、互いに対して平行であるか、直角であるであることはできない。そして、例えば、円形、卵型、その他導電層のどんな形状でもあり得ることが理解されるべきである。第１の導電層３０および／または第２の導電層４８は、非平面、または、平面と非平面との組合せでありえる。第１の導電層３０、および／または、第２の導電層４８は、また、アウター・ハウジングのデバイスの三次元形状をとることができ、そして、したがって、３次元でカーブしていることができる。
【００６７】
スロット４６と５８とは、また、導電層の上でどこにでも定義されることができ、図示された例に制限されるものではない。
【００６８】
図５は、（図３に図示される）第１の導電層３０、（図４に図示される）第２の導電層４８、および、導電性コネクタ６０を含む装置１８０の斜視図を示す。図５は、また、Ｚ軸６２を有するデカルト座標系３２を図示する。
【００６９】
スロット４６の第１の部分４６１は、スロット５８の第１の部分５８１と、反対方向に伸びる。第２の導電層４８は、第１の導電層３０にオーバーレイし（すなわち、第２の導電層４８は、Ｚ軸６２において第１の導電層３０の上に配置される）、距離ｄ１だけ、互いから分離される。誘電層（図示せず）は、第１および第２の導電層３０、４８との間のスペースの中に配置され得る。第１および第２の導電層３０、４８は、スロット５８の第２の部分５８２が、スロット４６の第２の部分４６２にオーバーレイするように配置される。第２の部分４６２と第２の部分５８２とは、その中の誘導カプラを受信するように構成される。特に、第２の部分４６２と第２の部分５８２とは、その中の誘導カプラを受信するために、サイズ設定され、間隔をあけられる。
【００７０】
導電性のコネクタ６０は、第１の導電層３０および第２の導電層４８に電気的に結合する（すなわち、導電性コネクタ６０は、第１および第２の導電層３０、４８の間のガルバニック・カプリングを提供する）。この例において、導電性コネクタ６０は、第１の導電層３０の第１の端３８から、＋Ｚ方向において、第２の導電層４８の第１のエッジ５０に伸びる。第１の導電層３０および第２の導電層４８は、コイルまたは螺旋形の形状を形成することが理解されるべきである。特に、スロット４６によって定義される電気径路、導電性コネクタ６０およびスロット５８は、２ターンを有するコイルまたは螺旋形状を形成する。
【００７１】
２つの層３０、４８に接合する導電性部分６０は、２つの層の間の導電材料の薄く幅の狭いストリップであることができる。または、導電性層３０、４８の各々の１つの側の全部の長さに沿って伸びることができる。
【００７２】
図６は、誘導カプラ６４を更に含んでいる図５の中で図示される装置の斜視図を示す。
【００７３】
誘導カプラ６４は、コイルの中に配置され、複数のターンを有する導電性の細長い部材を含む（言い換えると、誘導カプラ６４は、ソレノイドである）。誘導カプラ６４のターンは、（Ｘ−Ｙ平面に平行の）長方形の形状を有し、Ｚ軸６２に平行するラインに沿って配置される。誘導カプラ６４の（Ｚ軸６２における）長さは、ｄ１に等しい（すなわち、誘導カプラ６４の長さは、第１および第２の導電層３０、４８の間の間隔に等しい）。誘導カプラ６４の電気的長さ（すなわち、任意のリアクタンス性コンポーネントを含む導電性の細長い部材の長さ）は、第１の動作可能な周波数帯において誘導カプラが動作できるように選択される。
【００７４】
誘導カプラ６４は、スロット４６の第２の部分４６２の中に、そして、スロット５８の第２の部分５８２の中に置かれ、第１および第２の導電層３０、４８の間で伸びる。誘導カプラ６４は、ラジオ周波数回路１６に結合し、ラジオ周波数回路１６から信号を受信し、および／または、ラジオ周波数回路１６に信号を提供するように構成されている。
【００７５】
（導電性コネクタ６０および任意のリアクタンス性コンポーネントを含む）第１および第２の導電層３０、４８は、第１および第２の導電層３０、４８が第２の動作可能な周波数帯において共振することを可能にするように選択された第２の電気的長さを持つ電気径路を定義する。誘導カプラ６４の中の交流は、誘導カプラ６４に、第１の導電層３０と第２の導電層４８との中で、渦電流を励起する磁場を生成させる。第１および第２の導電層３０、４８は、このように、第１の動作可能な周波数帯および第２の動作可能な周波数帯において、装置１８０が動作できるように誘導カプラ６４の寄生的に結合するように構成される。
【００７６】
図７Ａは、第１の導電層３０が誘導カプラ６４によって励起されたときの、第１の導電層３０の上面の電流６６の平面図を示す。図７Ａは、また、デカルト座標系３２を図示する。電流６６は、一般に、第３のエッジ４２から第１のエッジ３８ｍそして、スロット４６の第２の部分４６２の方に流れる。しかしながら、電流６６は、第１のエッジ３８に沿って＋Ｘ方向３４に、そして、スロット４６の第１の部分４６１の下に流れる。電流６６は、−Ｘ方向３４に、スロット４６の第１の部分４６１の上に流れる。結局のところ、スロット４６は、有利に、電流６６が相殺することを防ぐ。
【００７７】
図７Ｂは、第１の導電層３０が誘導カプラ６４によって励起されたときの、第１の導電層３０の底面の電流６６の平面図を示す。図７Ｂは、また、デカルト座標系３２を図示する。電流６６は、スロット４６の第２の部分４６２のまわりを時計回り方向に流れる。
【００７８】
図８Ａは、第２の導電層３０が誘導カプラ６４によって励起されたときの、第２の導電層４８の上面の電流６６の平面図を示す。図８Ａは、また、デカルト座標系３２を図示する。電流６６は、スロット５８の第２の部分５８２のまわりを反時計方向に流れる。
【００７９】
図８Ｂは、第２の導電層３０が誘導カプラ６４によって励起されたときの、第２の導電層４８の底面の電流６６の平面図を示す。図８Ｂは、また、デカルト座標系３２を図示する。電流６６は、一般に、第１のエッジ５０から第３のエッジ５４の方に流れる。しかしながら、第１のエッジ５０において、および、スロット５８の第１の部分５８１の下において、電流６６は、＋Ｘ方向３４に流れる。
【００８０】
装置１８０は、誘導カプラ、および、第１の導電層３０と第２の導電層４８との組合せが、第１の動作可能な周波数帯および、この第１の動作可能な周波数帯と異なる第２の動作可能な周波数帯において電子デバイスが動作することを可能にする・ことにおいて、利点を提供する。第２の動作可能な周波数帯は、有利なことに、装置１８０の製造の間に、例えば、距離ｄ１、スロット４６、５８の長さ、および、第１および第２の導電層３０、４８の大きさに対して適切な値を選択することによって選択されることができる。
【００８１】
加えて、装置１８０は、第１の導電層３０および／または第２の導電層４８が、プリント基板の中の層または電子デバイス１０のハウジングであり得るから、装置１８０は、電子デバイス１０の内部で比較的少ないボリュームを占め得ることにおいて有利である。
【００８２】
更にまた、装置１８０は、有利なことに、（誘導カプラ６４と比較して）第１および第２の導電層３０、４８の大きさが比較的大きいことにより、他の電子デバイスとの比較的高い電磁結合強度を持つことができる。また、比較的小さな誘導カプラを、第１および第２の導電層３０、４８における渦電流を起こすために使用することができ、そして、従って、スロット４６、５８の第２の部分４６２、５８２は、比較的小さい大きさであることができる。
【００８３】
図９は、実施例にしたがう別の装置１８１の斜視図を示す。装置１８１は、装置１８０と同様であり、その特徴は同様であり、同じ参照番号が使用される。
【００８４】
装置１８１は、装置１８１が、第１のスロット４６内に配置された第１のキャパシタ構成６８を含み、そして、第１の導電層３０に結合しているという点において、装置１８０と異なる。装置１８１は、また、第２のスロット５８内に配置された第２のキャパシタ構成７０を含み、そして、第２の導電層４８に結合している。
【００８５】
第１および第２のキャパシタ構成６８、７０は、第１および第２の導電層３０、４８の組合せの第２の電気的長さの部分を形成し、そして、したがって、図６を参照して上述した実施例に対して、この組合せの共振周波数帯をシフトする。例えば、第１および第２のキャパシタ構成６８、７０は、その組合せの共振周波数帯を（図６を参照して上述した）第２の動作可能な周波数帯から第３の使用可能な周波数帯にシフトすることができる。
【００８６】
図１０は、実施例にしたがう、装置１８１に対するキャパシタ構成６８１を図示する。キャパシタ構成６８１は、第１の導電層３０に接続したキャパシタ７２、および、キャパシタ７２と、第１の導電層３０の第１のエッジ３８との間に接続されたスイッチ７４を含む。
【００８７】
キャパシタ構成６８１は、キャパシタ７２が第１の導電層３０に電気的に接続する（スイッチ７４が閉じている）第１の電気的構成と、そして、第２の電気構成を、キャパシタ７２が第１の導電層３０から電気的に切り離されている（図１０に図示されるように、スイッチ７４が開いている）第２の電気的構成との間でスイッチ可能である。キャパシタ構成６８１が、第１の電気的構成にあるとき、装置１８１は、第３の使用可能な周波数帯で、使用可能であり、キャパシタ構成６８１が、第２の電気的構成にあるとき、装置１８１は、第２の動作可能な周波数帯で、使用可能である。
【００８８】
図１１は、別の実施例にしたがう、装置１８１のためのコンデンサの配置６８２を図示する。キャパシタ構成６８２は、キャパシタ構成６８１と同様であり、その特徴は同様であり、同じ参照番号が使用される。キャパシタ構成６８２は、キャパシタ構成６８２は更なるキャパシタ７６を含む点においてキャパシタ構成６８１と異なる。
【００８９】
キャパシタ構成６８２が、前記第２の電気的構成にあるとき、更なるキャパシタ７６は、第１の導電層３０に電気的に接続しており、そして、したがって、更なるキャパシタ７６は、第２の電気的長さの部分を形成し、そして、装置１８１は、第４の共鳴動作可能周波数帯において共鳴するために使用可能である。したがって、キャパシタ構成６８２は、装置１８１は、第３の動作可能な周波数帯で共鳴するように動作可能である第１の電気的構成と、装置１８１は、第４の動作可能な周波数帯で共鳴するように動作可能である第２の電気的構成との間でスイッチ可能である。
【００９０】
図１２は、更なる実施例にしたがう、装置１８１のためのキャパシタ構成６８３を図示する。キャパシタ構成６８３は、第１の導電層３０に電気的に接続したバラクタ７８を含む。
【００９１】
バラクタ７８は、異なる容量値を有する複数の異なる電気的構成を有する。図１０および図１１に対する段落に記載されているように、複数の異なる電気的構成は、複数の異なる動作可能な周波数帯において装置１８１が動作することを可能にする。
【００９２】
コントローラ１２は、キャパシタ構成６８１、６８２、６８３の動作をコントロールするように構成される。例えば、コントローラ１２は、前記装置１８１が、ラジオ周波数回路１６において反射パワーを測定することによって（例えば、装置１８１を取り扱っているユーザによって）離調されたことを決定し、装置１８１を所望の動作可能な周波数帯にチューンするために構成を変化するようにスイッチ７４またはバラクタ７８をコントロールすることができる。別の例として、コントローラ１２は、第３の動作可能な周波数帯の動作が、所望であることを決定し、スイッチ７４またはバラクタ７８を第３の動作可能な周波数帯において動作を提供するようにコントロールすることができる。
【００９３】
第２のキャパシタ構成７０は、図１０、１１および１２の中で図示された構造のいずれをも有することができることが理解されるべきである。加えて、図２の中で図示される容量部材３１は、図１０、１１および１２の中で図示されるキャパシタ構成のいずれをも含むことができることが理解されるべきである。
【００９４】
図１３は、実施例にしたがう別の装置１８２の斜視図を示す。装置１８２は、第１の導電層８０、第２の導電層８２、および、図２の中で図示された導電層３０と同様の構造を有する第３の導電層８４を含む。特に、第１、第２および第３の導電層８０、８２、８４は、誘導カプラを受信するためのスロット８６を定義する（図の明快さを維持するため図１３に図示せず）。
【００９５】
第１の導電層８０は、第１の導電層８０のスロット８６の開口部から第２の導電層８２のスロット８６の開口部の反対側に伸びる第１の導電性部分８８を介して第２の導電層８２に電気的に結合される。第２の導電層８２は、第２の導電層８２のスロット８６の開口部から第３の導電層８４のスロット８６の開口部の反対側に伸びる第２の導電性部分９０を介して第３の導電層８４に電気的に結合される。
【００９６】
装置１８２は、複数のキャパシタ構成を含み、そして、これらは、以下の段落において、記載される。種々の実施例において、装置１８２は、複数のキャパシタ構成のうちの単一のキャパシタ構成、または、キャパシタ構成の任意の組合せを含むことができることが理解されるべきである。更にまた、これらのキャパシタは、図１０、１１および１２に図示されたものと同様の構成を有することができることが理解されるべきである。これらのキャパシタは、（プリント基板の一部として）導電層のうちの１つ以上で提供されることができ、および、導電性トレースまたは層の間で伸びる「ビア（ｖｉａ）」は、層のうちの２つの間の電気的接続をつくることが理解されるべきである。
【００９７】
装置１８２は、第１および第２の導電層８０、８２の間に配置され、それらを結合し、第２および第３の導電層８２、８４の間に配置され、それらを結合するキャパシタ９２を含む。このコンデンサ９２は、第１、第２および第３の導電層８０、８２、８４のコーナーに位置する。
【００９８】
加えて、装置１８２は、第１、第２および第３の導電層８０、８２および８４のスロット８６の開口部に配置され、それらを結合させるキャパシタ９４を含む。
【００９９】
更にまた、装置１８２は、スロット８６の開口部において、第１、第２および第３の導電層８０、８２、８４を一緒に結合させるキャパシタ９６を含む。特に、第１のキャパシタ９６１は、スロット８６の開口部において、第１および第２の導電層８０、８２を結合させ、第２のキャパシタ９６２は、スロット８６の開口部において、第２および第３の導電層８２、８４を結合させ、そして、第３のキャパシタ９６３は、スロット８６の開口部において、第１および第３の導電層８０、８４を結合させる。
【０１００】
加えて、装置１８２は、第２および第３の導電層８２、８４を結合させ、第２および第３の導電層８２、８４のスロット８６のクローズド・エンドに配置されるキャパシタ９８を含む。装置１８２は、また、第１および第２の導電層８０、８２を結合させ、第１および第２の導電層８０、８２のスロット８６のクローズド・エンドに配置されるキャパシタ（図示せず）を含むことができる。
【０１０１】
図１４は、実施例にしたがう別の装置１８３の平面図を示す。装置１８３は、プリント基板１０２、および、プリント基板１０２のエッジのまわりに伸びる導電性カバー１０４を備える導電層１００を含む。
【０１０２】
プリント配線板１０２は、その中の誘導カプラを受信するためのスロット１０６を定義する。スロット１０６はプリント基板１０２と導電性のカバー１０４の間で定義されるスロット１０８に伸びる。スロット１０８は、プリント基板１０２のまわりで伸び、そして、プリント配線１０２が、位置１１０において導電性カバー１０４に電気的に結合したところで終わる。
【０１０３】
装置１８３は、スロット１０８に配置され、プリント基板１０２に、および、導電性のカバー１０４に結合しているキャパシタ構成１１２を含む。キャパシタ構成１１２は、導電層１００を使用可能な周波数帯で共鳴するように調整するように構成されている。キャパシタ構成１１２は、図１０、１１および１２の中で図示されるキャパシタ構成のうちの任意の１つ、あるいは、それらの組合せであることができる。
【０１０４】
図１５は、実施例にしたがう装置１８、１８０、１８１、１８２、１８３を製造する方法のフロー・チャートを図示する。
【０１０５】
ブロック１１４において、この方法は、第１の導電層を提供することを含む。ブロック１１６において、この方法は、第２の導電層、および、任意の更なる層を提供することを含むことができる。ブロック１１８において、この方法は、導電性コネクタを提供し、その導電性コネクタを使用して導電層を一緒に結合させることを含むことができる。ブロック１２０において、この方法は、容量部材を提供することを含む。ブロック１２２において、この方法は、導電性層のスロットの中に、および、（任意選択的に）、任意の更なる導電層のスロットの中に誘導結合器を配置することを含む。
【０１０６】
図１５に図示されるブロックは、方法におけるステップおよび／またはコンピュータ・プログラムにおけるコードのセクションを表現することができる。例えば、コントローラは、コンピュータ・プログラムを読み、そして、機械を図１５に図示されるブロックを実行するようにコントロールすることができる。ブロックへの特定の順序の図示は、必要な、または、好適なブロックの順序が存在することを必ずしも意味するというわけではなく、ブロックの順序と構成は、変化することができる。更にまた、いくつかのブロックを省略することが可能でありえる。「備える（ｃｏｍｐｒｉｓｅ）」という用語が、本願明細書においては、排他的な意味を含むことなく使用されている。すなわち、Ｙを備えるＸに対する任意の参照は、Ｘが１つのＹのみを備える、または、１つのＹの他も備えることができることを意味する。もし、「備える（ｃｏｍｐｒｉｓｅ）」を、排他的な意味で使用することを意図する場合には、「ただ１つの．．．を備える」または、「から成る」を用いることによって、と言及することによって、文脈において明確にされる。
【０１０７】
本願明細書の記載において、種々の例に対して参照がなされた。例に関する特徴または機能の記載は、それらの特徴または機能が、その例において存在することを示す。テキストにおける「例（ｅｘａｍｐｌｅ）」、または、「例えば（ｆｏｒ  ｅｘａｍｐｌｅ）」、または、「できる（ｍａｙ）」の使用は、明示的に述べられるかどうかにかかわらず、少なくとも記述された例においてそのような特徴または機能が存在すること、例として記述されたかどうかにかかわらず、必ずしもあるというわけではないが、それらが、他の例のいくつか、または、すべてにおいて存在することができることを意味する。このように、「例（ｅｘａｍｐｌｅ）」、「例えば（ｆｏｒ  ｅｘａｍｐｌｅ）」、または、「できる（ｍａｙ）」は、例のクラスにおける特定のインスタンスを指す。インスタンスの特性は、そのインスタンスだけの特性、または、そのクラスの特性、または、クラスのインスタンスの全てでないが、いくつかを含むそのクラスのサブ・クラスの特性でありえる。
【０１０８】
本願発明の実施形態が、上の段落において、種々の実施例を参照して、記述されてきたけれども、挙げられた実施例に対する修正は、本願において主張された発明の要旨を逸脱しない範囲で作ることができることが理解されるべきである。
【０１０９】
例えば、第１および第２の導電層３０、４８は、任意の形状を有することができ、いくつかの例において、平面でなくても良い。加えて、第１および第２の導電層３０、４８は、互いに部分的にのみオーバーレイすることができる（すなわち、第１および第２の導電層３０、４８のエッジは、互いにオーバーレイすることができない）。
【０１１０】
スロット４６、５８は、任意数の部分を有することができ（単一の方向に伸びる１つの部分だけを含み）、互いに対していかなる適切な方向においても、方向付けされることができる。
【０１１１】
導電性コネクタ６０は、一緒に、第１および第２の導電層３０、４８のいかなる適切な部分と電気的に結合することができる。
【０１１２】
誘導カプラ６４は、図６に図示された構造と異なる構造を有することができる。例えば、誘導構造のターンは、長方形ではなく、円形であることができる。更にまた、誘導カプラ６４の（Ｚ軸６２における）長さは、ｄ１より大きい、または、小さいことができる（すなわち、誘導カプラ６４の長さは、第１および第２の導電層３０、４８の間のスペーシングより大きくても、小さくても良い）。
【０１１３】
装置１８１は、第１のキャパシタ構成６８および第２のキャパシタ構成７０のうちの１つのみを含むことができる。加えて、第１および第２のキャパシタ構成６８、７０は、スロット４６、５８の中の任意の適切な位置に配置することができる。更にまた、第１および第２のキャパシタ構成６８、７０が、スロット４６、５８の中に配置され得るが、これは、それらが、それぞれ、第１および第２の導電層３０、４８と同一のＸ−Ｙ平面に配置されることを要求するものではないことが理解されるべきである。
【０１１４】
いくつかの例において、アンテナ構造は、フェライトなど磁気導電性シート材を使用して、デバイス本体からシールドされることができる。
【０１１５】
装置が複数の導電層を含む例において、導電性層は、異なる形状や大きさを有することができる。例えば、１つの導電層は、デバイス本体（グランド接続）を含むことができ、そして、他の層は、デバイス本体より小さい。
【０１１６】
装置がキャパシタ構成を含まず、そして、容量部材は、導電層によって提供される、場合、導電性層は、所望の容量（例えば、１３ＭＨｚでおよそ１ｎＨ）を達成するために、比較的密に間隔をとることができる。
【０１１７】
上の記載において記述された特徴は、明示的に記述された組合せ以外の組合せにおいて使用することができる。
【０１１８】
機能が特定の特徴を参照して記述されたが、それらの機能は、記述されたかどうかにかかわらず、他の特徴によって、実行可能である。
【０１１９】
特徴が特定の実施形態を参照して記述されたが、それらの特徴は、また、記述されたかどうかにかかわらず、他の実施形態において、存在することができる。
【０１２０】
本願明細書において、きわめて重要であると信ずる本願発明のこれらの特徴に注意を引こうと努力したが、出願人は、特定の強調がその上に置かれたか否かを問わず、図面において参照された、および／または、示された、上述の、いかなる特許性のある特徴または特徴の組合せに関する保護を主張することが理解されるべきである。
【図１】
2016509445.tif 000003
【図２】
2016509445.tif 000004
【図３】
2016509445.tif 000005
【図４】
2016509445.tif 000006
【図５】
2016509445.tif 000007
【図６】
2016509445.tif 000008
【図７Ａ】
2016509445.tif 000009
【図７Ｂ】
2016509445.tif 000010
【図８Ａ】
2016509445.tif 000011
【図８Ｂ】
2016509445.tif 000012
【図９】
2016509445.tif 000013
【図１０】
2016509445.tif 000014
【図１１】
2016509445.tif 000015
【図１２】
2016509445.tif 000016
【図１３】
2016509445.tif 000017
【図１４】
2016509445.tif 000018
【図１５】
2016509445.tif 000019
【国際調査報告】
2016509445.tif 000020
2016509445.tif 000021
2016509445.tif 000022